(57)【要約】【課題】  使用者がＰＴＴキーを押した状態を維持する時間によって優先順位を付与し、その優先順位によって発言権を与えるＰＴＴサービスを提供するグループ通信システムの発言権付与方法を提供する。【解決手段】  特定の使用者が発言権を要求したとき、他の使用者に既に発言権が与えられており、発言権を要求した使用者に発言権を与えることができない場合、使用者がＰＴＴキーを押している時間に比例して該当ＰＴＴ端末の優先順位を高め、ＰＴＴキーを押した状態が解除されると該当ＰＴＴ端末の優先順位を初期化し、発言権付与時、優先順位の高いＰＴＴ端末に発言権を優先的に付与する。従って、緊急に転送するデータを有する場合、ＰＴＴキーを押して発言権の優先順位を高めることにより発言権を獲得することができる。【選択図】  図１
2006042355.tif 000002
【特許請求の範囲】
【請求項１】
１つ以上のＰＴＴ端末と、前記各ＰＴＴ端末の発言権を制御するＰＴＴサーバーとから構成されるＰＴＴサービスシステムにおいて、
前記ＰＴＴサーバーは、発言権の優先順位が他のＰＴＴ端末に比べて比較的高いＰＴＴ端末に発言権を与えることを特徴とするＰＴＴサービスを提供するグループ通信システムの発言権付与方法。
【請求項２】
前記優先順位は、ＰＴＴ端末自体又はＰＴＴサーバーが、前記ＰＴＴ端末のＰＴＴキーを押した状態が維持される時間によって決定することを特徴とする請求項１に記載のＰＴＴサービスを提供するグループ通信システムの発言権付与方法。
【請求項３】
ＰＴＴ端末から発言権要求メッセージを受信したＰＴＴサーバーが、前記ＰＴＴ端末への発言権の付与可否を判断する過程と、
前記ＰＴＴ端末への発言権の付与が不可能な場合、前記ＰＴＴサーバーが前記ＰＴＴ端末の発言権の優先順位を一段階高め、発言権拒否メッセージを前記ＰＴＴ端末に転送する過程と、
前記発言権拒否メッセージを受信したＰＴＴ端末がＰＴＴキーを押した状態を監視する過程と、
前記ＰＴＴキーを押した状態が所定時間維持される場合、前記ＰＴＴ端末が発言権要求メッセージを再転送する過程と、
を含むことを特徴とするＰＴＴサービスを提供するグループ通信システムの発言権付与方法。
【請求項４】
前記ＰＴＴ端末への発言権の付与が可能な場合、前記ＰＴＴ端末に発言権を与える過程をさらに含むことを特徴とする請求項３に記載のＰＴＴサービスを提供するグループ通信システムの発言権付与方法。
【請求項５】
前記ＰＴＴキーを押した状態を監視する過程は、
前記ＰＴＴ端末がエラーメッセージを出力する過程と、
前記ＰＴＴキーを押した状態が維持されるか解除されるかを判断する過程と、
からなることを特徴とする請求項３に記載のＰＴＴサービスを提供するグループ通信システムの発言権付与方法。
【請求項６】
前記ＰＴＴキーを押した状態が解除される場合、前記ＰＴＴ端末が発言権要求削除メッセージを前記ＰＴＴサーバーに転送する過程と、
前記発言権要求削除メッセージを受信したＰＴＴサーバーが、該当ＰＴＴ端末の優先順位を初期化する過程と、
をさらに含むことを特徴とする請求項３に記載のＰＴＴサービスを提供するグループ通信システムの発言権付与方法。
【請求項７】
前記発言権要求メッセージを再転送する過程は、前記ＰＴＴキーを押した状態が解除されるか、又は前記ＰＴＴ端末が発言権を獲得するまで周期的に行われることを特徴とする請求項３に記載のＰＴＴサービスを提供するグループ通信システムの発言権付与方法。
【請求項８】
１つ以上のＰＴＴ端末から発言権要求メッセージを受信する場合、前記ＰＴＴサーバーが他のＰＴＴ端末に既に発言権が与えられているか否かを判断する過程と、
発言権が与えられていない場合、前記各ＰＴＴ端末の優先順位を確認する過程と、
前記優先順位が最も高いＰＴＴ端末に発言権を与え、残りのＰＴＴ端末の優先順位を一段階ずつ高める過程と、
特定ＰＴＴ端末から発言権要求削除メッセージを受信する場合、前記特定ＰＴＴ端末の優先順位を初期化する過程と、
を含むことを特徴とするＰＴＴサービスを提供するグループ通信システムの発言権付与方法。
【請求項９】
既に発言権が与えられている場合、発言権要求メッセージを転送した全てのＰＴＴ端末の優先順位を一段階ずつ高める過程をさらに含むことを特徴とする請求項８に記載のＰＴＴサービスを提供するグループ通信システムの発言権付与方法。
【請求項１０】
ＰＴＴ端末から発言権要求メッセージを受信する場合、前記ＰＴＴサーバーが前記ＰＴＴ端末への発言権の付与可否を判断する過程と、
前記ＰＴＴ端末への発言権の付与が不可能な場合、前記ＰＴＴサーバーが発言権拒否メッセージを前記ＰＴＴ端末に転送する過程と、
前記発言権拒否メッセージを受信したＰＴＴ端末が発言権の優先順位を一段階高め、ＰＴＴキーを押した状態を監視する過程と、
前記ＰＴＴキーを押した状態が所定時間維持される場合、前記ＰＴＴ端末が発言権要求メッセージ及び自分の優先順位を再転送する過程と、
を含むことを特徴とするＰＴＴサービスを提供するグループ通信システムの発言権付与方法。
【請求項１１】
前記ＰＴＴ端末への発言権の付与が可能な場合、前記ＰＴＴ端末に発言権を与える過程をさらに含むことを特徴とする請求項１０に記載のＰＴＴサービスを提供するグループ通信システムの発言権付与方法。
【請求項１２】
前記ＰＴＴキーを押した状態を監視する過程は、
発言権の優先順位を一段階高める過程と、
前記ＰＴＴ端末がエラーメッセージを出力する過程と、
前記ＰＴＴキーを押した状態が維持されるか解除されるかを判断する過程と、
からなることを特徴とする請求項１０に記載のＰＴＴサービスを提供するグループ通信システムの発言権付与方法。
【請求項１３】
前記ＰＴＴキーを押した状態が解除される場合、前記ＰＴＴ端末が優先順位を初期化する過程をさらに含むことを特徴とする請求項１０に記載のＰＴＴサービスを提供するグループ通信システムの発言権付与方法。
【請求項１４】
前記発言権要求メッセージ及び優先順位を再転送する過程は、前記ＰＴＴキーを押した状態が解除されるか、又は前記ＰＴＴ端末が発言権を獲得するまで周期的に行われることを特徴とする請求項１０に記載のＰＴＴサービスを提供するグループ通信システムの発言権付与方法。
【請求項１５】
使用者が連続的に半二重通信機能を活性化する期間を検出する過程と、
前記検出された期間によって前記使用者に優先順位を与える過程と、
前記与えられた優先順位によって前記使用者に転送権限を承認する過程と、
を含むことを特徴とするグループ通信システムにおける複数の使用者処理方法。
【請求項１６】
前記半二重通信機能が、ＰＴＴ機能であることを特徴とする請求項１５に記載のグループ通信システムにおける複数の使用者処理方法。
【請求項１７】
前記検出された期間が長くなるほど、前記与えられた優先順位が高くなることを特徴とする請求項１５に記載のグループ通信システムにおける複数の使用者処理方法。
【請求項１８】
前記転送権限が、前記使用者に他の使用者との発言権を提供することを特徴とする請求項１５に記載のグループ通信システムにおける複数の使用者処理方法。
【請求項１９】
前記転送権限が、前記検出された期間にサーバーに送る１つ又はそれ以上の転送要求を受信して承認されることを特徴とする請求項１５に記載のグループ通信システムにおける複数の使用者処理方法。
【請求項２０】
前記転送要求が、発言権の要求、話す権利の要求、フロアの要求、又はトークバーストの要求であることを特徴とする請求項１９に記載のグループ通信システムにおける複数の使用者処理方法。
【請求項２１】
前記転送要求が、周期的にサーバーに送られることを特徴とする請求項１９に記載のグループ通信システムにおける複数の使用者処理方法。
【請求項２２】
通信信号をやり取りするための送受信器と、
前記送受信器をサポートするプロセッサと、
使用者が連続的に半二重通信機能を活性化する期間を検出し、前記検出された期間によって前記使用者に優先順位を与え、前記与えられた優先順位によって前記使用者に転送権限を承認する各段階を前記プロセッサにより実行するための指示を含む保存媒体と、
を備えることを特徴とする半二重通信を提供するグループ通信システムのサーバー。
【請求項２３】
通信信号をやり取りするための送受信器と、
音声及びデータの転送ができるように活性化され、音声及びデータの受信ができるように非活性化される半二重機能モジュールと、
前記送受信器及び半二重機能モジュールをサポートするプロセッサと、
使用者が連続的に半二重通信機能を活性化する期間を検出し、前記検出された期間によって前記使用者に優先順位を与え、前記与えられた優先順位によって前記使用者に転送権限を承認する各段階を前記プロセッサにより実行するための指示を含む保存媒体と、
を備えることを特徴とする半二重通信を提供するグループ通信システムのユーザー端末。
【発明の詳細な説明】
【技術分野】
【０００１】
本発明は、ＰＴＴ（Push To Talk）サービスに関し、特に、ＰＴＴサービスを提供するグループ通信システムの発言権付与方法に関する。
【背景技術】
【０００２】
ＰＴＴサービスとは、無線機サービスのような即時通話サービスであって、使用者がＰＴＴ端末のＰＴＴキーを押した状態で一対一又は一対グループの形で意思疎通をすることができる。
【０００３】
一般に、ＰＴＴサービスシステムは、ＰＴＴサービスを提供するＰＴＴ端末と、ＰＴＴ端末間の音声、データの転送、及び発言権を制御するＰＴＴサーバーとから構成される。ここで、前記発言権とは、ＰＴＴサービスのような半二重通信においてデータを転送する資格を与える（ａｌｌｏｃａｔｅ）方法であり、二人以上がデータを転送して衝突することを防止するために用いられる。
【０００４】
従来のＰＴＴサービスシステムにおいて、使用者がＰＴＴ端末のキーを押して発言権を要求した場合、前記ＰＴＴサーバーは、他のＰＴＴ端末に発言権が与えられていないと、発言権承認メッセージを該当ＰＴＴ端末に転送する。しかしながら、他のＰＴＴ端末に発言権が与えられていると、前記ＰＴＴサーバーは、発言権拒絶メッセージを該当ＰＴＴ端末に転送する。
【０００５】
前記ＰＴＴサーバーから発言権承認メッセージを受信したＰＴＴ端末は、使用者が入力する音声及びデータをＰＴＴサーバーを介して他のＰＴＴ端末に転送し、前記ＰＴＴサーバーから発言権拒絶メッセージを受信したＰＴＴ端末は、使用者が認知できるようにエラーメッセージを出力する。
【０００６】
前記エラーメッセージを確認した使用者が発言権を獲得するためには、発言権を有している使用者の発言権が解除された後、ＰＴＴ端末のキーを押して再び発言権を要求しなければならない。
【０００７】
前述したように、従来のＰＴＴサービスシステムの発言権付与方法においては、使用者がＰＴＴ端末のキーを押して発言権を要求した場合、既に他の使用者が発言権を有していると、相手が発言権を解除するまで待った後、ＰＴＴ端末のキーを押して再び発言権を要求しなければならない。
【発明の開示】
【発明が解決しようとする課題】
【０００８】
このような従来のＰＴＴサービスシステムの発言権付与方法においては、転送するデータを有する使用者が発言権を要求する場合、他の使用者が既に発言権を有していて発言権を獲得することができないか、又は適切なタイミングにＰＴＴキーを押すことができず他の使用者に発言権を奪われることがあるという問題があった。
【０００９】
また、従来のＰＴＴサービスシステムの発言権付与方法においては、使用者が優先的に転送しなければならないデータを有する場合も、他の使用者に発言権を奪われるか、又は既に発言権を有している使用者のため前記データを速やかに転送できないという問題があった。
【００１０】
本発明は、このような従来技術の問題を解決するためになされたもので、使用者がＰＴＴキーを押した状態を維持する時間によって優先順位を付与し、その優先順位によって発言権を与えるＰＴＴサービスを提供するグループ通信システムの発言権付与方法を提供することを目的とする。
【課題を解決するための手段】
【００１１】
このような目的を達成するために、１つ以上のＰＴＴ端末と、前記各ＰＴＴ端末の発言権を制御するＰＴＴサーバーとから構成されるＰＴＴサービスシステムにおいて、本発明によるＰＴＴサービスを提供するグループ通信システムの発言権付与方法は、前記ＰＴＴサーバーが、発言権の優先順位が他のＰＴＴ端末に比べて比較的高いＰＴＴ端末に発言権を与えることを特徴とする。
【００１２】
さらに、本発明によるＰＴＴサービスを提供するグループ通信システムの発言権付与方法は、ＰＴＴ端末から発言権要求メッセージを受信したＰＴＴサーバーが、前記ＰＴＴ端末への発言権の付与可否を判断する過程と、前記ＰＴＴ端末への発言権の付与が不可能な場合、前記ＰＴＴサーバーが前記ＰＴＴ端末の発言権の優先順位を一段階高め、発言権拒否メッセージを前記ＰＴＴ端末に転送する過程と、前記発言権拒否メッセージを受信したＰＴＴ端末がＰＴＴキーを押した状態を監視する過程と、前記ＰＴＴキーを押した状態が所定時間維持される場合、前記ＰＴＴ端末が発言権要求メッセージを再転送する過程とを含むことを他の特徴とする。
【００１３】
また、本発明によるＰＴＴサービスを提供するグループ通信システムの発言権付与方法は、１つ以上のＰＴＴ端末から発言権要求メッセージを受信する場合、前記ＰＴＴサーバーが他のＰＴＴ端末に既に発言権が与えられているか否かを判断する過程と、発言権が与えられていない場合、前記各ＰＴＴ端末の優先順位を確認する過程と、前記優先順位が最も高いＰＴＴ端末に発言権を与え、残りのＰＴＴ端末の優先順位を一段階ずつ高める過程と、特定ＰＴＴ端末から発言権要求削除メッセージを受信する場合、前記特定ＰＴＴ端末の優先順位を初期化する過程とを含むことをさらに他の特徴とする。
【００１４】
また、本発明によるＰＴＴサービスを提供するグループ通信システムの発言権付与方法は、特定ＰＴＴ端末から発言権要求メッセージ及び優先順位を受信する場合、前記ＰＴＴサーバーが該当ＰＴＴ端末への発言権の付与可否を判断する過程と、前記ＰＴＴ端末への発言権の付与が不可能な場合、前記ＰＴＴサーバーが発言権拒否メッセージを前記ＰＴＴ端末に転送する過程と、前記発言権拒否メッセージを受信したＰＴＴ端末が発言権の優先順位を一段階高め、ＰＴＴキーを押した状態を監視する過程と、前記ＰＴＴキーを押した状態が所定時間維持される場合、前記ＰＴＴ端末が発言権要求メッセージ及び自分の優先順位を再転送する過程とを含むことをさらに他の特徴とする。
【００１５】
また、本発明によるグループ通信システムにおける複数の使用者処理方法は、使用者が連続的に半二重通信機能を活性化する期間を検出する過程と、前記検出された期間によって前記使用者に優先順位を与える過程と、前記与えられた優先順位によって前記使用者に転送権限を承認する過程とを含むことをさらに他の特徴とする。
【００１６】
また、本発明による半二重通信を提供するグループ通信システムのサーバーは、通信信号をやり取りするための送受信器と、前記送受信器をサポートするプロセッサと、使用者が連続的に半二重通信機能を活性化する期間を検出し、前記検出された期間によって前記使用者に優先順位を与え、前記与えられた優先順位によって前記使用者に転送権限を承認する各段階を前記プロセッサにより実行するための指示を含む保存媒体とを備えることをさらに他の特徴とする。
【００１７】
また、本発明による半二重通信を提供するグループ通信システムのユーザー端末は、通信信号をやり取りするための送受信器と、音声及びデータの転送ができるように活性化され、音声及びデータの受信ができるように非活性化される半二重機能モジュールと、前記送受信器及び半二重機能モジュールをサポートするプロセッサと、使用者が連続的に半二重通信機能を活性化する期間を検出し、前記検出された期間によって前記使用者に優先順位を与え、前記与えられた優先順位によって前記使用者に転送権限を承認する各段階を前記プロセッサにより実行するための指示を含む保存媒体とを備えることを特徴とする。
【００１８】
上記目的を達成するために、本発明は、例えば、さらに以下を提供する。
（項目１）
１つ以上のＰＴＴ端末と、前記各ＰＴＴ端末の発言権を制御するＰＴＴサーバーとから構成されるＰＴＴサービスシステムにおいて、
前記ＰＴＴサーバーは、発言権の優先順位が他のＰＴＴ端末に比べて比較的高いＰＴＴ端末に発言権を与えることを特徴とするＰＴＴサービスを提供するグループ通信システムの発言権付与方法。
（項目２）
前記優先順位は、ＰＴＴ端末自体又はＰＴＴサーバーが、前記ＰＴＴ端末のＰＴＴキーを押した状態が維持される時間によって決定することを特徴とする項目１に記載のＰＴＴサービスを提供するグループ通信システムの発言権付与方法。
（項目３）
ＰＴＴ端末から発言権要求メッセージを受信したＰＴＴサーバーが、前記ＰＴＴ端末への発言権の付与可否を判断する過程と、
前記ＰＴＴ端末への発言権の付与が不可能な場合、前記ＰＴＴサーバーが前記ＰＴＴ端末の発言権の優先順位を一段階高め、発言権拒否メッセージを前記ＰＴＴ端末に転送する過程と、
前記発言権拒否メッセージを受信したＰＴＴ端末がＰＴＴキーを押した状態を監視する過程と、
前記ＰＴＴキーを押した状態が所定時間維持される場合、前記ＰＴＴ端末が発言権要求メッセージを再転送する過程と、
を含むことを特徴とするＰＴＴサービスを提供するグループ通信システムの発言権付与方法。
（項目４）
前記ＰＴＴ端末への発言権の付与が可能な場合、前記ＰＴＴ端末に発言権を与える過程をさらに含むことを特徴とする項目３に記載のＰＴＴサービスを提供するグループ通信システムの発言権付与方法。
（項目５）
前記ＰＴＴキーを押した状態を監視する過程は、
前記ＰＴＴ端末がエラーメッセージを出力する過程と、
前記ＰＴＴキーを押した状態が維持されるか解除されるかを判断する過程と、
からなることを特徴とする項目３に記載のＰＴＴサービスを提供するグループ通信システムの発言権付与方法。
（項目６）
前記ＰＴＴキーを押した状態が解除される場合、前記ＰＴＴ端末が発言権要求削除メッセージを前記ＰＴＴサーバーに転送する過程と、
前記発言権要求削除メッセージを受信したＰＴＴサーバーが、該当ＰＴＴ端末の優先順位を初期化する過程と、
をさらに含むことを特徴とする項目３に記載のＰＴＴサービスを提供するグループ通信システムの発言権付与方法。
（項目７）
前記発言権要求メッセージを再転送する過程は、前記ＰＴＴキーを押した状態が解除されるか、又は前記ＰＴＴ端末が発言権を獲得するまで周期的に行われることを特徴とする項目３に記載のＰＴＴサービスを提供するグループ通信システムの発言権付与方法。
（項目８）
１つ以上のＰＴＴ端末から発言権要求メッセージを受信する場合、前記ＰＴＴサーバーが他のＰＴＴ端末に既に発言権が与えられているか否かを判断する過程と、
発言権が与えられていない場合、前記各ＰＴＴ端末の優先順位を確認する過程と、
前記優先順位が最も高いＰＴＴ端末に発言権を与え、残りのＰＴＴ端末の優先順位を一段階ずつ高める過程と、
特定ＰＴＴ端末から発言権要求削除メッセージを受信する場合、前記特定ＰＴＴ端末の優先順位を初期化する過程と、
を含むことを特徴とするＰＴＴサービスを提供するグループ通信システムの発言権付与方法。
（項目９）
既に発言権が与えられている場合、発言権要求メッセージを転送した全てのＰＴＴ端末の優先順位を一段階ずつ高める過程をさらに含むことを特徴とする項目８に記載のＰＴＴサービスを提供するグループ通信システムの発言権付与方法。
（項目１０）
ＰＴＴ端末から発言権要求メッセージを受信する場合、前記ＰＴＴサーバーが前記ＰＴＴ端末への発言権の付与可否を判断する過程と、
前記ＰＴＴ端末への発言権の付与が不可能な場合、前記ＰＴＴサーバーが発言権拒否メッセージを前記ＰＴＴ端末に転送する過程と、
前記発言権拒否メッセージを受信したＰＴＴ端末が発言権の優先順位を一段階高め、ＰＴＴキーを押した状態を監視する過程と、
前記ＰＴＴキーを押した状態が所定時間維持される場合、前記ＰＴＴ端末が発言権要求メッセージ及び自分の優先順位を再転送する過程と、
を含むことを特徴とするＰＴＴサービスを提供するグループ通信システムの発言権付与方法。
（項目１１）
前記ＰＴＴ端末への発言権の付与が可能な場合、前記ＰＴＴ端末に発言権を与える過程をさらに含むことを特徴とする項目１０に記載のＰＴＴサービスを提供するグループ通信システムの発言権付与方法。
（項目１２）
前記ＰＴＴキーを押した状態を監視する過程は、
発言権の優先順位を一段階高める過程と、
前記ＰＴＴ端末がエラーメッセージを出力する過程と、
前記ＰＴＴキーを押した状態が維持されるか解除されるかを判断する過程と、
からなることを特徴とする項目１０に記載のＰＴＴサービスを提供するグループ通信システムの発言権付与方法。
（項目１３）
前記ＰＴＴキーを押した状態が解除される場合、前記ＰＴＴ端末が優先順位を初期化する過程をさらに含むことを特徴とする項目１０に記載のＰＴＴサービスを提供するグループ通信システムの発言権付与方法。
（項目１４）
前記発言権要求メッセージ及び優先順位を再転送する過程は、前記ＰＴＴキーを押した状態が解除されるか、又は前記ＰＴＴ端末が発言権を獲得するまで周期的に行われることを特徴とする項目１０に記載のＰＴＴサービスを提供するグループ通信システムの発言権付与方法。
（項目１５）
使用者が連続的に半二重通信機能を活性化する期間を検出する過程と、
前記検出された期間によって前記使用者に優先順位を与える過程と、
前記与えられた優先順位によって前記使用者に転送権限を承認する過程と、
を含むことを特徴とするグループ通信システムにおける複数の使用者処理方法。
（項目１６）
前記半二重通信機能が、ＰＴＴ機能であることを特徴とする項目１５に記載のグループ通信システムにおける複数の使用者処理方法。
（項目１７）
前記検出された期間が長くなるほど、前記与えられた優先順位が高くなることを特徴とする項目１５に記載のグループ通信システムにおける複数の使用者処理方法。
（項目１８）
前記転送権限が、前記使用者に他の使用者との発言権を提供することを特徴とする項目１５に記載のグループ通信システムにおける複数の使用者処理方法。
（項目１９）
前記転送権限が、前記検出された期間にサーバーに送る１つ又はそれ以上の転送要求を受信して承認されることを特徴とする項目１５に記載のグループ通信システムにおける複数の使用者処理方法。
（項目２０）
前記転送要求が、発言権の要求、話す権利の要求、フロアの要求、又はトークバーストの要求であることを特徴とする項目１９に記載のグループ通信システムにおける複数の使用者処理方法。
（項目２１）
前記転送要求が、周期的にサーバーに送られることを特徴とする項目１９に記載のグループ通信システムにおける複数の使用者処理方法。
（項目２２）
通信信号をやり取りするための送受信器と、
前記送受信器をサポートするプロセッサと、
使用者が連続的に半二重通信機能を活性化する期間を検出し、前記検出された期間によって前記使用者に優先順位を与え、前記与えられた優先順位によって前記使用者に転送権限を承認する各段階を前記プロセッサにより実行するための指示を含む保存媒体と、
を備えることを特徴とする半二重通信を提供するグループ通信システムのサーバー。
（項目２３）
通信信号をやり取りするための送受信器と、
音声及びデータの転送ができるように活性化され、音声及びデータの受信ができるように非活性化される半二重機能モジュールと、
前記送受信器及び半二重機能モジュールをサポートするプロセッサと、
使用者が連続的に半二重通信機能を活性化する期間を検出し、前記検出された期間によって前記使用者に優先順位を与え、前記与えられた優先順位によって前記使用者に転送権限を承認する各段階を前記プロセッサにより実行するための指示を含む保存媒体と、
を備えることを特徴とする半二重通信を提供するグループ通信システムのユーザー端末。
【発明の効果】
【００１９】
本発明によるＰＴＴサービスを提供するグループ通信システムの発言権付与方法においては、使用者がＰＴＴキーを押した状態を維持する時間に比例して発言権の優先順位を高め、前記優先順位によって発言権を与えることにより、他の使用者に既に発言権が与えられているか、又はＰＴＴキーを押すタイミングを逃して発言権要求メッセージを転送できなかった場合も発言権を獲得できるという効果がある。
【発明を実施するための最良の形態】
【００２０】
以下、添付の図面を参照して、本発明によるＰＴＴサービスを提供するグループ通信システムの発言権付与方法の好ましい実施形態を説明する。
【００２１】
本発明は、特定の使用者が発言権を要求したとき、他の使用者に既に発言権が与えられており、前記発言権を要求した使用者に発言権を与えることができない場合、前記使用者がＰＴＴキーを押している時間に比例して該当ＰＴＴ端末の優先順位を高め、発言権付与時、前記優先順位の高いＰＴＴ端末に発言権を優先的に付与する発言権付与方法である。ここで、使用者が発言権要求が拒否されたＰＴＴ端末のＰＴＴキーを押した状態を解除すると、該当ＰＴＴ端末の優先順位は「０」に初期化される。
【００２２】
本発明によるＰＴＴサービスシステムにおいて、前記発言権要求が拒否されて発言権を獲得していない場合、優先順位は、ＰＴＴサーバー又は該当ＰＴＴ端末自体が高めることができる。
【００２３】
本発明によるＰＴＴサービスシステムは、ＰＴＴキーが搭載されたＰＴＴ端末と、前記ＰＴＴ端末の発言権の優先順位を確認して優先順位の高いＰＴＴ端末に発言権を与えるＰＴＴサーバーとから構成される。ここで、前記優先順位は、前記ＰＴＴサーバー又はＰＴＴ端末自体がカウントすることができる。
【００２４】
図１は、本発明によるＰＴＴサービスを提供するグループ通信システムの発言権付与方法の第１実施形態を示すフローチャートであり、前記ＰＴＴサーバーが優先順位をカウントする場合の発言権付与方法を示す。
【００２５】
使用者が発言権を要求するためにＰＴＴキーを押すと（Ｓ１１）、ＰＴＴ端末は、ＰＴＴキーを押した状態を認知し、発言権要求メッセージをＰＴＴサーバーに転送する（Ｓ１２）。
【００２６】
前記発言権要求メッセージを受信したＰＴＴサーバーは、他の使用者に発言権が与えられているか否かを確認し（Ｓ１３）、発言権が与えられていないと、発言権承認メッセージを該当ＰＴＴ端末に転送することにより発言権を与える（Ｓ１４）。
【００２７】
しかしながら、他の使用者に既に発言権が与えられていると、前記ＰＴＴサーバーは、発言権拒否メッセージを該当ＰＴＴ端末に転送して発言権の付与が不可能であることを通知し、前記ＰＴＴ端末の発言権の優先順位を一段階高める（Ｓ１５）。
【００２８】
前記発言権拒否メッセージを受信したＰＴＴ端末は、使用者が認知できるようにエラーメッセージを出力し（Ｓ１６）、前記エラーメッセージを確認した使用者は、発言権要求を維持するか解除するかを決定する（Ｓ１７）。
【００２９】
前記使用者が発言権要求を維持するために前記ＰＴＴキーを押した状態を維持すると、前記ＰＴＴ端末は、所定時間経過後、再び発言権要求メッセージを前記ＰＴＴサーバーに転送し（Ｓ１２）、他の使用者に発言権が与えられていると、前記ＰＴＴサーバーは、該当ＰＴＴ端末の優先順位を再び一段階高める（Ｓ１３、Ｓ１５）。即ち、前記使用者がＰＴＴキーを押した状態を維持する間、前記ＰＴＴ端末は、周期的に発言権要求メッセージを前記ＰＴＴサーバーに転送し、ＰＴＴサーバーは、発言権要求が拒否されるごとに該当ＰＴＴ端末の優先順位を一段階ずつ高める。
【００３０】
しかしながら、発言権拒否メッセージを確認した使用者が発言権要求を解除するために前記ＰＴＴキーを押した状態を解除すると（Ｓ１８）、前記ＰＴＴ端末は、発言権要求削除メッセージを前記ＰＴＴサーバーに転送し（Ｓ１９）、前記ＰＴＴサーバーは、該当ＰＴＴ端末の優先順位を「０」に初期化する（Ｓ２０）。
【００３１】
図２は、本発明によるＰＴＴサービスを提供するグループ通信システムの発言権付与方法の第２実施形態を示すフローチャートであり、前記ＰＴＴ端末が優先順位をカウントする場合の発言権付与方法を示す。
【００３２】
使用者がＰＴＴキーを押して発言権を要求すると（Ｓ４１）、ＰＴＴ端末は、発言権要求メッセージをＰＴＴサーバーに転送する（Ｓ４２）。
【００３３】
前記発言権要求メッセージを受信したＰＴＴサーバーは、他の使用者に発言権が与えられているか否かを確認し（Ｓ４３）、発言権が与えられていないと、発言権承認メッセージを該当ＰＴＴ端末に転送し（Ｓ４４）、既に発言権が与えられていると、発言権拒否メッセージを該当ＰＴＴ端末に転送する（Ｓ４５）。
【００３４】
前記発言権拒否メッセージを受信したＰＴＴ端末は、使用者が認知できるようにエラーメッセージを出力し、発言権の優先順位を一段階高める（Ｓ４６）。
【００３５】
前記エラーメッセージを確認した使用者が発言権要求を維持するか解除するかを判断して（Ｓ４７）、前記ＰＴＴキーを押した状態を維持又は解除する。
【００３６】
前記使用者が発言権要求を維持するために前記ＰＴＴキーを押した状態を維持すると、前記ＰＴＴ端末は、所定時間経過後、前記ＰＴＴサーバーに自分の優先順位及び発言権要求メッセージを共に転送する（Ｓ４８）。
【００３７】
前記ＰＴＴ端末の優先順位及び発言権要求メッセージを受信したＰＴＴサーバーは、他のＰＴＴ端末に発言権が与えられていると、発言権拒否メッセージを該当ＰＴＴ端末に転送し（Ｓ４３、Ｓ４５）、前記発言権拒否メッセージを受信したＰＴＴ端末は、エラーメッセージを出力すると共に、該当ＰＴＴ端末の優先順位を再び一段階高める（Ｓ４６）。しかしながら、他のＰＴＴ端末に発言権が与えられていないと、前記ＰＴＴサーバーは、該当ＰＴＴ端末に発言権を与える（Ｓ４４）。
【００３８】
即ち、前記使用者がＰＴＴキーを押した状態を維持する間、前記ＰＴＴ端末は、周期的に発言権要求メッセージ及び優先順位を前記ＰＴＴサーバーに転送し、前記ＰＴＴサーバーから発言権要求が拒否されるごとに優先順位を一段階ずつ高める。
【００３９】
しかしながら、発言権拒否メッセージを確認した使用者が発言権要求を解除するために前記ＰＴＴキーを押した状態を解除すると（Ｓ４９）、ＰＴＴ端末自体に保存された優先順位は「０」に初期化され、発言権要求メッセージは転送されない（Ｓ５０）。
【００４０】
本発明によるＰＴＴサービスを提供するグループ通信システムにおいては、ＰＴＴサーバーが優先順位の高いＰＴＴ端末に優先的に発言権を与えるため、緊急に転送するデータを有する使用者は、ＰＴＴキーを押した状態を維持することにより発言権の優先順位を高めなければならない。
【００４１】
本発明は、ソフトウェア、ハードウェア、又はこれらを組み合わせて実現することができる。例えば、本発明による発言権付与方法は、保存媒体（例えば、ユーザー端末内部のメモリ、フラッシュメモリなど）に保存され、プロセッサ（例えば、ユーザー端末内部のマイクロプロセッサ）により実行されるソフトウェアプログラム内のコード又は指示により実現することができる。
【００４２】
本発明は、使用者が連続的に半二重通信機能を活性化する期間を検出する過程と、前記検出された期間によって前記使用者に優先順位を与える過程と、前記与えられた優先順位によって前記使用者に転送権限を承認する過程とを含むことを特徴とするグループ通信システムにおける複数の使用者処理方法を提供する。
【００４３】
ここで、前記半二重通信機能は、ＰＴＴ機能であり、前記検出された期間が長くなるほど前記与えられた優先順位が高くなる。また、前記転送権限は、前記使用者に他の使用者との発言権を提供し、前記検出された期間にサーバーに送る１つ又はそれ以上の転送要求を受信して承認される。前記転送要求は、発言権の要求、話す権利の要求、フロア（floor）の要求、又はトークバースト（talk burst）の要求であり、サーバーに周期的に送ることができる。
【００４４】
図３に示すように、本発明による半二重通信を提供するグループ通信システム３００のサーバー３２０は、通信信号をやり取りするための送受信器３２３と、送受信器３２３をサポートするプロセッサ３２１と、使用者が連続的に半二重通信機能を活性化する期間を検出し、前記検出された期間によって前記使用者に優先順位を与え、前記与えられた優先順位によって前記使用者に転送権限を承認する各段階をプロセッサ３２１により実行するための指示３２５、３２６、３２７を含む保存媒体３２４とを備える。
【００４５】
また、図３に示すように、本発明による半二重通信を提供するグループ通信システム３００のユーザー端末３１０は、通信信号をやり取りするための送受信器３１３と、音声及びデータの転送ができるように活性化され、音声及びデータの受信ができるように非活性化される半二重機能モジュール３１２と、送受信器３１３及び半二重機能モジュール３１２をサポートするプロセッサ３１１と、使用者が連続的に半二重通信機能を活性化する期間を検出し、前記検出された期間によって前記使用者に優先順位を与え、前記与えられた優先順位によって前記使用者に転送権限を承認する各段階をプロセッサ３１１により実行するための指示３１５、３１６を含む保存媒体３１４とを備える。
【００４６】
本発明の特徴は、グループ通信（一対多通信）、例えば、ＰＴＴ（及びＰＴＴの一種であるＰｏＣ）のような半二重通信に適用可能であり、ある機能を活性化して（例えば、キーを押す、ソフトキーの選択など）音声及びデータの転送を許容し、その機能を非活性化して（例えば、キーを離す、ソフトキーの解除など）音声及びデータを受信することにある。
【００４７】
また、本発明の技術及び提案は、「ＰＴｘ（Push-To-x）」技術に適用可能である。これは、ＰＴｘがＰＴＴ及びＰｏＣ技術の改善であるためである。ここで、ＰＴｘとは、改善されたＰＴＴ技術であって、音声だけでなく、様々な種類のマルチメディアへの応用（例えば、写真、電話のベル、ゲーム、コンテンツ、ＳＭＳ、ＭＭＳなど）を支援する。ＰＴｘの一例として、ＰＴＶ（Push-To-View）技術があるが、これはテレビ会議を可能にする。また、ＰＴｘとは、移動機器又は無線機器を利用して通信する方式を表す用語であり、「プッシュ・ツー（push-to）」インターフェースが複数の使用者を連結するメインツールになり得る。即ち、使用者の連絡先リスト（例えば、友人リスト）がその使用者の通信経験の出発点及び中心にななり得る。使用者は、ＰＴｘ機能を選択することにより、例えば、ＰＴＴ、テレビ会議、写真の転送、及び普通の電話通話などの様々な種類の応用及び通信セッションを実行することができる。よって、使用者が自分の連絡先リストとインターフェースするために、各使用者の存在状態が重要な要素になる。即ち、使用者がＰＴｘ機能を活性化すると、各連絡先の相手の存在状態、各連絡先の相手の移動端末又は機器の機能、これらのネットワークの連動機能などによって、複数の相手を含む連絡先リストが各連絡先の相手のためのオプションリストと共に画面に表示される。ここで、使用者は、聴覚、視覚、及び／又は触覚的な警告或いは通知により、使用者の移動端末機又は無線機器とインターフェースすることができる。
【００４８】
ここで使用される用語については、ＰＴＴを「Ｐ２Ｔ」ともいい、ＰＴｘを「Ｐ２ｘ」ともいい、ＰＴＶを「Ｐ２Ｖ」ともいう。これと類似した他の略語及び略字を用いて、現在開発中であるか、今後新しく開発される様々な「プッシュ・ツー」技術の基本概念を意味することもできる。
【００４９】
本発明がインターネット接続（例えば、ＶｏＩＰ）による通信を用いることができるため、本発明の機能は、ＢｃＮ（Broadband convergence Network）のような改善されたインターネット接続サービスにも適用することができ、既存の広帯域サービスより約５０倍速い５０〜１００Ｍｂｐｓの速度でインターネット接続サービスを提供することができる。
【００５０】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００５１】
【図１】本発明によるＰＴＴサービスを提供するグループ通信システムの発言権付与方法の第１実施形態を示すフローチャートである。
【図２】本発明によるＰＴＴサービスを提供するグループ通信システムの発言権付与方法の第２実施形態を示すフローチャートである。
【図３】本発明によるＰＴＴサービスを提供するグループ通信システムを示すブロック図で、サーバー及び１つのユーザー端末を示しているが、複数のユーザー端末を使用することもできる。
【図１】
2006042355.tif 000003
【図２】
2006042355.tif 000004
【図３】
2006042355.tif 000005